(57)【特許請求の範囲】
【請求項１】
タイバー（４）の端部が挿入されるエンドハウジング（３）の貫通孔（２１）の前側端部には、小径とされてタイバー（４）を支持する支持部（２２）が形成され、前記貫通孔（２１）の後側端部には、タイバー（４）のネジ部の外周面を支持する、円筒形状の内周面を有するスペーサ（２３）が設けられており、前記タイバー（４）のネジ部は台形ネジ（２４）とされており、前記エンドハウジング（３）の背面には、前記タイバー（４）の台形ネジ（２４）と螺合され軸方向に移動不能とされたタイバーナット（２６）が設けられていることを特徴とする射出成形機における型締装置の倒れ防止装置。
【発明の詳細な説明】
【０００１】
【発明の属する技術分野】
本発明は、射出成形機における型締装置の倒れ防止装置に係るものであり、詳しくは、型締装置のエンドハウジングの倒れ防止装置に関するものである。
【０００２】
【従来の技術】
一般に用いられている射出成形機のトグル式型締装置について図面を参照して説明する。図２はダブルトグル式型締装置の全体構成図であり、図３は図２の要部断面拡大図である。
【０００３】
図２において、固定盤１とエンドハウジング３は、所定の間隔を置いて４本のタイバー４で連結されている。これらのタイバー４に、可動盤２が摺動自在に設けられている。固定盤１には固定金型１５、可動盤２には可動金型１６が取り付けられている。
【０００４】
ダブルトグル機構は、可動盤２に第１トグルピン１０を介して一端を枢着された第１リンク７、その両側を各々第２トグルピン１１，第３トグルピン１２を介して第１リンク７の他端およびエンドハウジング３に枢着された第２リンク８、その両側を各々第４トグルピン１３，第５トグルピン１４を介して第２リンク８の中程およびクロスヘッド６に枢着された第３リンク９とから構成されている。
【０００５】
エンドハンジング３には、型締シリンダ５が取り付けられ、そのピストンロッド５ａは、エンドハウジング３を貫通してクロスヘッド６に取り付けられている。図３に示すように、エンドハウジング３には、タイバー４が挿入される貫通穴３１が設けられ、貫通穴３１の前側端部は、小径とされて、タイバー４の支持部３２とされている。貫通穴３１は前記支持部３２を除きタイバー径よりやや大径とされている。
【０００６】
前記エンドハウジング３に貫通されるタイバー４の端部にはタイバー４のネジ部として三角ネジ３４が形成され、この三角ネジ３４にはエンドハウジング３の背面に調整体３５によって回転可能かつ軸方向に移動不能に設けられたタイバーナット３６が螺合されている。各タイバーナット３６の外周部には歯車が形成され、エンドハウジング３に設けられた図示しない型厚調整モータなどにより同時に回転駆動される。なお、エンドハウジング３は、その下部に設けられた車輪により前後動可能とされている。
【０００７】
上述した構成において、型締シリンダ５の後部室に圧油が供給されると、ピストンロッド５ａが図中右方向に前進し、ピストンロッド５ａの前進力はクロスヘッド６からダブルトグル機構を介して可動盤２に伝わり、可動盤２を同様に右方向に前進して、図２に示すように固定金型１５と可動金型１６とが型締めされる。また、型締シリンダ５の前部室に圧油が供給されると、上記した動作とは逆の動作により型開がなされる。
【０００８】
金型を交換して型厚調整する場合は、トグル機構を伸ばした状態で、型厚調整モータでタイバーナツト３６を回転させる。これにより、可動盤２がエンドハウジング３と共にタイバー４に沿って移動して、可動盤２と固定盤１との間隔が調整される。
【０００９】
【発明が解決しようとする課題】
従来の型締装置のエンドハウジングは、その支持部のみを介してタイバーと接続されているので、トグル機構を作動して型開閉動作を行なうと、その反力により支持部を支点としてエンドハウジングが傾斜することがある。エンドハウジングが傾斜すると、エンドハウジングとトグル機構を介して一体となっている可動盤も同様に傾斜すると共に、タイバーも曲げられるので、両金型の芯出しを行なう金型ガイドピンが、かじりを起すことがある。また、キャビティバランスの悪い金型を使用して型締、成形を行なうと、キャビティに作用する偏った射出圧力により可動盤と一体のエンドハウジングが傾斜して可動盤が傾斜する。すると、可動盤に取り付けられている金型が傾斜して金型のパーティング面の開きが方向によって異なり、精度の悪い成形品が得られることがある。
【００１０】
本発明は、以上のような問題点を解決するためになされたものであって、射出成形機の型締装置の開閉動作の反力によるエンドハウジングの倒れを防止して金型を保護すると共に、成形時の金型のパーティング面の開きを均一とすることを課題とする。
【００１１】
【課題を解決するための手段】
本発明は、上述した課題を次のようにして解決した。タイバーの端部に形成されたタイバーのネジ部に、エンドハウジング背面に軸方向移動不能に設けられたタイバーナットを螺合させてエンドハウジングを前後動して型厚調整を行なう型締装置において、前記タイバーのネジ部を台形ネジとし、前記タイバーの端部を、タイバーが挿入されるエンドハウジングの貫通孔の前側端部に設けた支持部と、後側端部に設けたスペーサの２箇所で支持する。
【００１２】
【発明の実施の形態】
本発明による射出成形機における型締装置の倒れ防止装置は、タイバーの端部が挿入されるエンドハウジングの貫通孔の前側端部は小径とされてタイバーの支持部とされ、前記貫通孔の後側端部には、タイバーのネジ部を支持するスペーサが設けられ、前記タイバーのネジ部は、台形ネジとされていることを特徴とする。  前記エンドハウジングの背面には、前記タイバーの台形ネジと螺合され軸方向に移動不能とされたタイバーナットが設けられていることを特徴とする。
【００１３】
【実施例】
本発明の実施例を図面を参照して説明する。図１は本発明による射出成形機における型締装置の倒れ防止装置を示す要部断面図である。なお、本発明による射出成形機の型締装置の構成および作用は、従来の技術の欄で図２を参照して説明した内容と同様なので、その説明を援用する。
【００１４】
図１に示すように、エンドハウジング３には、タイバー４が挿入される貫通穴２１が設けられ、この貫通穴２１の前側端部は、小径とされて、タイバー４の支持部２２とされている。貫通穴２１の後側端部にはスペーサ２３が嵌めこまれ、同様にタイバー４の支持部とされている。
【００１５】
前記エンドハウジング３に貫通されるタイバー４の端部にはタイバー４のネジ部としての台形ネジ２４が形成され、この台形ネジ２４にはエンドハウジング３の背面に調整体２５によって回転可能かつ軸方向に移動不能に設けられたタイバーナット２６が螺合されている。なお、タイバー４の台形ネジ２４は前記スペーサ２３に前後動可能に嵌合されている。
【００１６】
各タイバーナット２６の外周部には歯車が形成され、エンドハウジン３に設けられた図示しない型厚調整モータなどにより同時に回転駆動される。なお、エンドハウジング３は、その下部に設けられた車輪により前後動可能とされている。
【００１７】
上述したように、タイバー４のエンドハウジング側の端部は、エンドハウジング３の前側端部に設けた支持部２２と、後側端部に設けたスペーサ２３の２箇所で支持されているので、型締装置の開閉動作時の反力およびキャビティ面に作用する偏った射出圧力によってもエンドハウジング３が倒れることはない。
【００１８】
また、タイバー４のネジ部を台形ネジ２４としたことにより、タイバー４をスペーサ２３を介してエンドハウジング３で確実に保持することができる。さらに、三角ネジと比べ、スペーサ２３と接触する面積が広くなるため、相互の接触面圧を下げることができ、スペーサ２３および台形ネジ２４の疲労を抑えて耐久性を上げることができる。また、スペーサ２３の厚さを小さくすることができる。
【００１９】
また、前記スペーサ２３は、別ピースとされているので、材質の異なる部品を採用することができると共に、その交換が容易である。なお、上述した実施例ではタイバー４のネジ部を台形ネジ２４としているが、角ネジとしてもよい。
【００２０】
【発明の効果】
本発明は、以上説明したように構成されているので、射出成形機の型締装置の開閉動作時の反力およびキャビティ面に作用する偏った射出圧力によるエンドハウジングの倒れ、及びタイバーの曲がりを防止して、金型を保護すると共に、成形時の金型のパーティング面の開きを均一とすることができる。
【図面の簡単な説明】
【図１】本発明による型締装置の倒れ防止装置を示す要部断面図である。
【図２】ダブルトグル式型締装置の全体構成図である。
【図３】図２の要部断面拡大図である。
【符号の説明】
３  エンドハウジング
４  タイバー
２１  貫通穴
２２  支持部
２３  スペーサ
２４  台形ネジ
２５  調整体
２６  タイバーナット
【図１】
0003843158.tif 000002
【図２】
0003843158.tif 000003
【図３】
0003843158.tif 000004